(57)【特許請求の範囲】
【請求項１】
幅方向に貫通する通し穴を連鎖方向前後の各端部寄りに設けたセンター駒と、片側面から幅方向に向かう止め穴を連鎖方向前後の各端部寄りに設けたサイド駒とを備え、センター駒の各通し穴から軸両端を外方に突出させて連結ピンを複数個直列に並ぶセンター駒に組み付け、サイド駒を連鎖方向前後で相隣り合うセンター駒の通し穴から突出する連結ピンの各軸端に組み付けて、センター駒をサイド駒で両側から支持する形態を基本とし、
上記サイド駒には各止め穴に直交する座ぐり穴を内側面より駒内に設け、上記連結ピンには軸径を細くする凹溝をサイド駒の止め穴に挿入する軸線上で座ぐり穴と相応する軸回りに設けると共に、サイド駒の座ぐり穴と平面形状で整合する基部片から座ぐり穴の穴内に向う立上り片を有し、且つ、連結ピンの凹溝に係合する張出し縁を立上り片の突端寄り両側部に設け、更に、基部片より立上り片に連通するねじ穴を設けたストッパと、そのストッパのねじ穴にねじ込まれて頭部縁をサイド駒の穴縁に当接するビスとを備え、
上記ストッパを座ぐり穴の穴内に挿置させてサイド駒に組み付け、このサイド駒をセンター駒の通し穴より外方に突出する連結ピンの各軸端に止め穴で組み付け、ストッパのねじ穴にねじ込まれるビスの頭部縁をサイド駒の穴縁に当接すると共に、ストッパの張出し縁を座ぐり穴の奥側から連結ピンの凹溝と係合するまでストッパをビスでねじ上げて保持し、そのストッパで連結ピンに固定するサイド駒によりセンター駒を両側から支持する連鎖部を備えてなることを特徴とする腕時計用バンド。
【請求項２】
上記センター駒と相対する側面より幅方向に向かって奥止りの止め穴を設けたサイド駒を備え、そのサイド駒を連結ピンの各軸端に該奥止りの止め穴で組み付けてなることを特徴とする請求項１に記載の腕時計用バンド。
【請求項３】
上記ストッパのねじ穴にねじ込まれるビスの頭部を受け入れる切欠段部を座ぐり穴の穴縁に設けたサイド駒と、該ビスの頭部を受け入れる切欠凹部を基部片に設けたストッパとを備え、そのストッパのねじ穴にねじ込まれるビスの頭部縁をサイド駒の切欠段部に当接すると共に、該ビスの頭部をストッパの切欠凹部で受け入れてストッパをサイド駒の内側面と面一にビスで保持してなることを特徴とする請求項１または２に記載の腕時計用バンド。
【請求項４】
超硬合金，硬質合金，セラミックス等の超硬質材料で形成したセンター駒並びにサイド駒により組み立てた連鎖部を備えてなることを特徴とする請求項１〜３のいずれかに記載の腕時計用バンド。
【発明の詳細な説明】
【０００１】
【発明の属する技術分野】
本発明は、腕時計用バンドの改良に関するものである。
【０００２】
【従来の技術】
従来、腕時計用バンドとしては、幅方向に貫通する通し穴を連鎖方向前後の各端部寄りに設けたセンター駒と、片側面から幅方向に向かう止め穴を連鎖方向前後の各端部寄りに設けたサイド駒とを備え、センター駒の各通し穴から軸両端を外方に突出させて連結ピンを複数個直列に並ぶセンター駒に組み付け、サイド駒を連鎖方向前後で相隣り合うセンター駒の通し穴から突出する連結ピンの各軸端に組み付けて、センター駒をサイド駒で両側から支持する形態を基本に構成するものがある。
【０００３】
その腕時計用バンドは、通常、センター駒の各通し穴より外方に突出する連結ピンの各軸端をサイド駒の止め穴に圧入嵌着し、サイド駒を連結ピンで固定保持すると共に、センター駒をサイド駒で両側から支持することにより連鎖状に組み立てられている。
【０００４】
その腕時計用バンドでは、止め穴の口径並びに連結ピンの両軸径を厳格に管理しなければならないため、各部品の成形に手間が掛る。また、連結ピンの各軸端をサイド駒の止め穴に圧入嵌着するのも慎重に行わなければならないため、組立作業にも手間を要するばかりでなく、長さ調整等の必要からサイド駒を連結ピンより組み外すのも手間が掛る。
【０００５】
特に、センター駒並びにサイド駒を超硬合金，セラミックス等の超硬質材料から形成するものでは、特殊な放電加工技術、又は厳密な細孔加工に適用する必要があるため、その細孔加工にも手間が掛る。
【０００６】
【発明が解決しようとする課題】
本発明は、センター駒の各通し穴より外方に突出する連結ピンの各軸端をサイド駒の止め穴に圧入嵌着する構成によらないで、サイド駒を連結ピンで確実に保持できると共に、センター駒をサイド駒で両側から確実に支持できる腕時計用バンドを提供することを目的とする。
【０００７】
それに加えて、本発明は構造的に簡単な部品から容易に組み立てられると共に、長さ調整等が必要なときにも容易に組み外しでき、また、体裁よく組み立てられる腕時計用バンドを提供することを目的とする。
【０００８】
【課題を解決するための手段】
本発明の請求項１に係る腕時計用バンドにおいては、幅方向に貫通する通し穴を連鎖方向前後の各端部寄りに設けたセンター駒と、片側面から幅方向に向かう止め穴を連鎖方向前後の各端部寄りに設けたサイド駒とを備え、センター駒の各通し穴から軸両端を外方に突出させて連結ピンを複数個直列に並ぶセンター駒に組み付け、サイド駒を連鎖方向前後で相隣り合うセンター駒の通し穴から突出する連結ピンの各軸端に組み付けて、センター駒をサイド駒で両側から支持する形態を基本とし、
上記サイド駒には各止め穴に直交する座ぐり穴を内側面より駒内に設け、上記連結ピンには軸径を細くする凹溝をサイド駒の止め穴に挿入する軸線上で座ぐり穴と相応する軸回りに設けると共に、サイド駒の座ぐり穴と平面形状で整合する基部片から座ぐり穴の穴内に向う立上り片を有し、且つ、連結ピンの凹溝に係合する張出し縁を立上り片の突端寄り両側部に設け、更に、基部片より立上り片に連通するねじ穴を設けたストッパと、そのストッパのねじ穴にねじ込まれて頭部縁をサイド駒の穴縁に当接するビスとを備え、
上記ストッパを座ぐり穴の穴内に挿置させてサイド駒に組み付け、このサイド駒をセンター駒の通し穴より外方に突出する連結ピンの各軸端に止め穴で組み付け、ストッパのねじ穴にねじ込まれるビスの頭部縁をサイド駒の穴縁に当接すると共に、ストッパの張出し縁を座ぐり穴の奥側から連結ピンの凹溝と係合するまでストッパをビスでねじ上げて保持し、そのストッパで連結ピンに固定するサイド駒によりセンター駒を両側から支持する連鎖部を備えることにより構成されている。
【０００９】
本発明の請求項２に係る腕時計用バンドにおいては、センター駒と相対する側面より幅方向に向かって奥止りの止め穴を設けたサイド駒を備え、そのサイド駒を連結ピンの各軸端に該奥止りの止め穴で組み付けることにより構成されている。
【００１０】
本発明の請求項３に係る腕時計用バンドにおいては、ストッパのねじ穴にねじ込まれるビスの頭部を受け入れる切欠段部を座ぐり穴の穴縁に設けたサイド駒と、該ビスの頭部を受け入れる切欠凹部を基部片に設けたストッパとを備え、そのストッパのねじ穴にねじ込まれるビスの頭部縁をサイド駒の切欠段部に当接すると共に、該ビスの頭部をストッパの切欠凹部で受け入れてストッパをサイド駒の内側面と面一にビスで保持することにより構成されている。
【００１１】
本発明の請求項４に係る腕時計用バンドにおいては、超硬合金，硬質合金，セラミックス等の超硬質材料で形成したセンター駒並びにサイド駒により組み立てた連鎖部を備えることにより構成されている。
【００１２】
【発明の実施の形態】
以下、添付を参照して説明すると、図１はバックル部を除いて、腕時計用バンドＢを腕時計ケースＣに組付け連結させた側面図を示す。この腕時計用バンドＢにおいては、連鎖部ｂ１，連鎖部ｂ２，連鎖部ｂ３，連鎖部ｂ４が各々異なる構造により構成されている。その連鎖部中で、連鎖部ｂ１が本発明による連鎖部として特殊な構造に構成されている。なお、便宜上、腕時計ケースＣとの連結側を「腕時計用バンドＢの先端側」とし、手首との接触面側を「腕時計用バンドＢの内側面」として説明する。
【００１３】
図２は、連鎖部ｂ１の一つのブロックを組み立てるのに要する組立部品を示す。その組立部品としては、幅方向に貫通する通し穴１０ａ，１０ｂ、１１ａ，１１ｂを連鎖方向前後の各端部寄りに設けた複数個のセンター駒１ａ，１ｂと、センター駒１ａ，１ｂの各通し穴１０ａ，１０ｂ、１１ａ，１１ｂに挿通する二本組の連結ピン２ａ，２ｂと、各センター駒１ａ，１ｂの連鎖方向前後で隣り合う通し穴１０ｂ，１１ａより突出する連結ピン２ａ，２ｂの軸端を挿入する止め穴３０ａ，３０ｂ、３１ａ，３１ｂを連鎖方向前後の各端部寄りに設けた複数個のサイド駒３ａ，３ｂとが備えられている。
【００１４】
その各部品には、連鎖方向に応じて大きさ等の異なる数種のものがある。この各部品を一つの大きさのもので説明すると、センター駒１ａ（１ｂ）には、図３ａ並びに図３ｂで示すように幅方向に貫通する通し穴１０ａ，１０ｂ（１１ａ，１１ｂ）が連鎖方向前後の各端部寄りに設けられている。この全体形状としては、略勾玉状乃至は楕円状で輪郭縁を面取りすることにより形成されている。
【００１５】
連結ピン２ａ，２ｂは、図２で示すように各軸端をセンター駒１ａ，１ｂの通し穴１０ａ，１０ｂ、１１ａ，１１ｂより外方に突出させて通し穴１０ａ，１０ｂ、１１ａ，１１ｂに挿通するもので、その軸径はセンター駒１ａ，１ｂの揺動を許容するようセンター駒１ａ，１ｂの通し穴１０ａ，１０ｂ、１１ａ，１１ｂより多少細く形成されている。この連結ピン２ａ（２ｂ）には、図４で示すように軸径を細くする凹溝２０ａ，２０ｂ（２１ａ，２１ｂ）がセンター駒１ａ（１ｂ）の通し穴１０ａ，１０ｂ（１１ａ，１１ｂ）より外方に突出する各軸端の軸回りに設けられている。
【００１６】
サイド駒３ａ（３ｂ）には、図５ａ〜図５ｃで示すように止め穴３０ａ，３０ｂ（３１ａ，３１ｂ）がセンター駒１ａ（１ｂ）と相対する側面で連鎖方向前後の各端部寄りに設けられている。この全体形状としても、略勾玉状乃至は楕円状で輪郭縁を面取りすることにより形成されている。そのサイド駒３ａ（３ｂ）の止め穴３０ａ，３０ｂ（３１ａ，３１ｂ）は、センター駒１ａ（１ｂ）と相対する側面から幅方向に向かう奥止り穴として設けられている。
【００１７】
そのサイド駒３ａ（３ｂ）には、止め穴３０ａ，３０ｂ（３１ａ，３１ｂ）と直交する座ぐり穴３０ｃ（３１ｃ）が内側面より駒内に向かって後述するストッパの挿置用として設けられている。この他に、ストッパのねじ穴にねじ込まれるビスの頭部を受け入れる切欠段部３０ｄ，３０ｅ（３１ｄ，３１ｅ）が座ぐり穴３０ｃ（３１ｃ）の穴縁に設けられている。更に、ストッパのねじ受け部となる円弧状の側壁を受け入れる円弧状の窪み部３０ｆ，３０ｇ（３１ｆ，３１ｇ）が座ぐり穴３０ｃ（３１ｃ）の相対する側面に設けられている。
【００１８】
上述した組立部品に加えて、連鎖部ｂ１は、図２で示すようにサイド駒３ａ，３ｂの座ぐり穴３０ｃ，３１ｃに嵌り合って連結ピン２ａ，２ｂの凹溝２０ａ，２１ａ、２０ｂ，２１ｂに係合するストッパ４ａ，４ｂと、ストッパ４ａ，４ｂにねじ込まれるビス５ａ，５ｂとを備えて組み立てられている。そのビス５ａ，５ｂとしては、ねじ軸部５０ａ，５１ａと頭部５０ｂ，５１ｂを有する丸平ビスが備えられている。
【００１９】
ストッパ４ａ（４ｂ）は、図６ａ〜図６ｃで示すようにサイド駒３ａ，３ｂの座ぐり穴３０ｃ，３１ｃと平面形状で整合する基部片４０ａ（４１ａ）と、基部片４０ａ，（４１ａ）から座ぐり穴３０ｃ，３１ｃの穴内に向かう立上り片４０ｂ（４１ｂ）を有し、且つ、連結ピン２ａ，２ｂの凹溝２０ａ，２１ａ、２０ｂ，２１ｂに係合する張出し縁４０ｃ，４０ｄ（４１ｃ，４１ｄ）を立上り片４０ｂ（４１ｂ）の突端寄り両側部に設け、更に、基部片４０ａ（４１ａ）より立上り片４０ｂ（４１ｂ）に連通するねじ穴４０ｅ（４１ｅ）を中央に設けることにより形成されている。
【００２０】
その構成中、立上り片４０ｂ（４１ｂ）は連結ピン２ａ，２ｂの軸線上に設けられた凹溝２０ａ，２０ｂ、２１ａ，２１ｂの溝幅と同じ厚みを有すると共に、止め穴３０ａ，３０ｂ，３１ａ，３１ｂの穴内に挿通される連結ピン２ａ，２ｂの凹溝２０ａ，２１ａ、２０ｂ，２１ｂに亘る長さを有するよう形成されている。また、張出し縁４０ｃ，４０ｄ（４１ｃ，４１ｄ）は座ぐり穴３０ｃ，３１ｃの奥側から連結ピン２ａ，２ｂの凹溝２０ａ，２０ｂ、２１ａ，２１ｂに係合するよう形成されている。
【００２１】
その構成に加えて、ストッパ４ａ（４ｂ）にはねじ穴４０ｅ（４１ｅ）と同心円の円弧状で両側面から膨出する補強用の側壁部４０ｆ，４０ｇ（４１ｆ，４１ｇ）が設けられている。この他に、ストッパ４ａ（４ｂ）にはビス５ａ，５ｂの頭部５０ｂ，５１ｂを受け入れる切欠凹部４０ｈ（４１ｈ）がねじ穴４０ｅ（４１ｅ）と同心の円弧状を呈するよう基部片４０ａ（４１ａ）に設けられている。
【００２２】
その各部品から連鎖部ｂ１を組み立てるには、まず、図７ａ〜図７ｃで示すようにストッパ４ａ（４ｂ）を座ぐり穴３０ｃ（３１ｃ）の内部に挿置させてサイド駒３ａ（３ｂ）に組み付ける。
【００２３】
そのサイド駒３ａ（３ｂ）に対し、図８ａ〜図８ｃで示すように連結ピン２ａ，２ｂの各軸端を止め穴３０ａ，３０ｂの穴内に嵌め込んで連結ピン２ａ，２ｂを一つのサイド駒３ａに組み付ける。その連結ピン２ａ，２ｂの組付け状態では、ストッパ４ａの張出し縁４０ｃ，４０ｄが座ぐり穴３０ｃの両側で連結ピン２ａ，２ｂの凹溝２０ａ，２１ａよりも奥側に位置している。
【００２４】
次に、図９ａ〜図９ｃで示すように連結ピン２ａ，２ｂをセンター駒１ａ，１ｂの通し穴１０ｂ，１１ａに相通させて軸端を外方に突出させることにより連鎖方向で相隣接するセンター駒１ａ，１ｂを連結ピン２ａ，２ｂに組み付ける。
【００２５】
更に、図１０ａ並びに図１０ｂで示すようにセンター駒１ａ，１ｂより外方に突出する連結ピン２ａ，２ｂの軸端を止め穴３１ａ，３１ｂに嵌め込んでセンター駒１ａ，１ｂを介して相対するサイド駒３ｂを連結ピン２ａ，２ｂに組み付ける。このサイド駒３ａ，３ｂの組付け状態では、ストッパ４ａ，４ｂの張出し縁４０ｃ，４０ｄ、４１ｃ，４１ｄが連結ピン２ａ，２ｂの凹溝２０ａ，２１ａ、２０ｂ，２１ｂに係合していない。
【００２６】
最後に、図１１ａ並びに図１１ｂで示すようにビス５ａ，５ｂをストッパ４ａ，４ｂのねじ穴４０ｅ，４１ｅに各々ねじ込む。そのビス５ａ，５ｂは、頭部５０ｂ，５１ｂが頭縁で座ぐり穴３０ｃ，３１ｃの穴縁に設けられた切欠段部３０ｄ，３０ｅ、３１ｄ，３１ｅに当接してもねじ込んでストッパ４ａ，４ｂをねじ上げる。
【００２７】
これにより、図１２ａ〜図１２ｃで示すようにストッパ４ａ，４ｂの張出し縁４０ｃ，４０ｄ、４１ｃ，４１ｄが連結ピン２ａ，２ｂの凹溝２０ａ，２１ａ、２０ｂ，２１ｂに係合し、ストッパ４ａ，４ｂは勿論、サイド駒３ａ，３ｂが連結ピン２ａ，２ｂから抜け外れないよう固定できる。
【００２８】
上述した手順は一例を示すものであり、連結ピン２ａ，２ｂをセンター駒１ａ，１ｂの通し穴１０ｂ，１１ａに挿通することによりセンター駒１ａ，１ｂに予め組み付けてもよい。また、ビス５ａ，５ｂは各サイド駒３ａ，３ｂの組付け毎にねじ込んでもよい。
【００２９】
その一ブロックの組立と同様に、上述した手順により、図１３ａ並びにず１３ｂで示すように後続する各ブロックを順次繰り返し組み付けることにより連鎖部ｂ１を組み立てられる。
【００３０】
このように連鎖部ｂ１を構成するときには、センター駒１ａ，１ｂをサイド駒３ａ，３ｂで両側から確実に保持できると共に、サイド駒３ａ，３ｂの座ぐり穴３０ｃ，３１ｃに嵌め込むストッパ片４ａ，４ｂの張出し縁４０ｃ，４０ｄ、４１ｃ，４１ｄを相隣り合う連結ピン２ａ，２ｂの凹溝２０ａ，２１ａ、２０ｂ，２１ｂに係合させることによりサイド駒３ａ，３ｂを連結ピン２ａ，２ｂで確実に保持できる。
【００３１】
従って、センター駒１ａ，１ｂの通し穴１０ａ，１０ｂ、１１ａ，１１ｂ並びにサイド駒３ａ，３ｂの止め穴３０ａ，３０ｂ、３１ａ，３１ｂについて口径を厳格に管理する必要がないと共に、連結ピン２ａ，２ｂの軸径も厳格に管理する必要がない。これにより、加工が容易で構造的に簡単な部品から手間を掛けずに組み立てられると共に、ビス５ａ，５ｂの取り外しにより連鎖部ｂ１を簡単に組み外せる。
【００３２】
それに加えて、サイド駒３ａ，３ｂには、図１４ａ〜図１４ｃで示すようにセンター駒１ａ，１ｂと相対する側より他側面まで貫通しない奥止りの止め穴３０ａ，３０ｂ、３１ａ，３１ｂを設けることにより体裁よく組み立てられる。
【００３３】
また、ストッパ４ａ，４ｂのねじ穴４０ｅ，４１ｅにねじ込まれるビス５ａ，５ｂの頭部縁をサイド駒３ａ，３ｂの切欠段部３０ｄ，３０ｅ、３１ｄ，３１ｅに当接すると共に、このビス５ａ，５ｂの頭部５０ｂ，５１ｂをストッパ４ａ，４ｂの切欠凹部４０ｈ，４１ｈで受け入れてストッパ４ａ，４ｂをサイド駒３ａ，３ｂの内側面と面一にビス５ａ，５ｂで保持することにより、ビス５ａ，５ｂが携帯者の手首に当らないよう組み立てられる。
【００３４】
この腕時計用バンドでは、上述したと同様に、図１５で示す如くセンター駒１ｃ，１ｄをサイド駒３ｃ，３ｄで両側から保持すると共に、サイド駒３ｃ，３ｄの座ぐり穴に嵌め込むストッパ４ａ，４ｂの張出し縁を相隣り合う連結ピン２ｃ，２ｄの軸線に係合させてサイド駒３ｃ，３ｄを連結ピン２ｃ，２ｄで保持することにより連鎖部ｂ２を組み立てられる。
【００３５】
その連鎖部ｂ２では、例えば、連結ピン２ｃ，２ｄを挿通する止め穴として貫通穴を設けてもよい。この連結ピン２ｃ，２ｄの止め穴を貫通穴として設けても、ストッパ４ａ，４ｂの張出し縁を相隣り合う連結ピン２ｃ，２ｄの軸線に係合し、また、軸止めカラー２ｅを連結ピン２ｃ，２ｄの軸線上に嵌め込んでセンター駒１ｃ，１ｄの通し穴に挿通することによりサイド駒３ｃ，３ｄを確実に保持できるよう組み立てられる。
【００３６】
腕時計ケースＣとの連結側は、図１５で示すようにセンター駒１ａの通し穴１０ａから突出する連結ピン２ｆの軸端をサイド駒３ｅ，３ｆの止め穴に嵌め込み、サイド駒３ｅ，３ｆをセンター駒１ａの両側部に連結ピン２ｆで保持させて連鎖部ｂ３を組み立てることにより腕時計ケースＣに連結装備できる。
【００３７】
そのサイド駒３ｅ，３ｆは、センター駒１ａの両側に配置するものが左右対称に形成されている。このサイド駒３ｅ（３ｆ）は、図１６ａ，図１６ｂで示すようにセンター駒の通し穴から突出する連結ピンの軸端部を嵌め込む止め穴３２，腕時計ケースＣのフレーム部を横側から支持する受け縁部３３、腕時計ケースＣのフレーム部を下側から支持する段部３４とから形成されている。この連鎖部ｂ３では、腕時計ケースＣの支持ピンを挿通する必要から短い連結ピン２ｆを用いることにより組み立てられる。
【００３８】
バックルとの連結側は、図１５で示すように端部駒６，バックル取付駒７を備えて連鎖部ｂ４を組み立てられる。端部駒６は、図１７ａ，図１７ｂで示すようにセンター駒１ｅを後端側で受け入れる切欠部６０、両張り出し部６１ａ，６１ｂ、橋絡部６２から平面略コの字状に形成されている。この端部駒６には、バックル取付駒７の嵌込み穴６３が橋絡部６２から各張り出し部６１ａ，６１ｂの内側面に設けられている。また、両張り出し部６１ａ，６１ｂにはセンター駒１ｅとの止め穴６４ａ，６４ｂ並びにバックル取付駒７の止め穴６５ａ，６５ｂが設けられている。
【００３９】
それに対し、バックル取付駒７は、図１８ａ，図１８ｂで示すように端部駒の嵌込み穴に組み付ける本体部７０、本体部７０から内方に突出する脚部７１ａ，７１ｂが正面逆コの字状に形成されている。このバックル取付駒７には、端部駒との止め穴７２が本体部７０に貫通穴として設けられ、また、バックル側の支持ピンを挿通する止め穴７３ａ，７３ｂが脚部７１ａ，７１ｂに設けられている。
【００４０】
端部駒６は、図１５で示すように軸線の長い連結ピン３ｇを備えてセンター駒１ｅと連結でき、また、バックル取付駒７は端部駒６の嵌込み穴６３に組み付けて軸線の長い連結ピン３ｈで端部駒６に取付け固定できる。これと共に、軸止めカラー３ｉ，３ｊを連結ピン３ｇ，３ｈの軸線上に嵌め込んでセンター駒１ｅの通し穴並びにバックル取付駒７の止め穴７２に挿通することにより各部を確実に保持できる。
【００４１】
上述した簡単な構造から各部を構成するため、センター駒１ａ，１ｂ並びにサイド駒３ａ，３ｂはタングステンカーバイト（ＷＣ），タンタルカーバイト（ＴａＣ），チタニュームカーバイト（ＴｉＣ）等の超硬・硬質合金，又はジルコニアセラミックス等の超硬質材料で容易に形成でき、またこれら超硬質材料からなるバンド駒は、精度的に射出成形による形成も容易である。これにより、腕時計ケースと合わせて傷付き等の生じ難い腕時計用バンドＢとして全体が構成でき、特に、ジルコニアセラミックス等のセラミック材料から形成するときには金属アレルギーの虞れのある使用者向けとして好適なものに構成できる。
【００４２】
【発明の効果】
以上に如く、本発明の請求項１に係る腕時計用バンドに依れば、ストッパを座ぐり穴の穴内に挿置させてサイド駒に組み付け、このサイド駒をセンター駒の通し穴より外方に突出する連結ピンの各軸端に止め穴で組み付け、ストッパのねじ穴にねじ込まれるビスの頭部縁をサイド駒の穴縁に当接すると共に、ストッパを座ぐり穴の奥側から張出し縁で連結ピンの凹溝と係合するまでビスでねじ上げて保持し、そのストッパで連結ピンに固定するサイド駒によりセンター駒を両側から支持する連鎖部を備えることにより、センター駒の各通し穴より外方に突出する連結ピンの各軸端をサイド駒の止め穴に圧入嵌着する構成によらないで、サイド駒を連結ピンで確実に保持できると共に、センター駒をサイド駒で両側から確実に保持させて構造的に簡単な部品から容易に組み立てられしかも容易に組み外せる。
【００４３】
本発明の請求項２に係る腕時計用バンドに依れば、センター駒と相対する側より他側面まで貫通しない奥止りの止め穴を設けたサイド駒により組み立てた連鎖部を備えることにより体裁の良好なものに組み立てられる。
【００４４】
本発明の請求項３に係る腕時計用バンドに依れば、ストッパのねじ穴にねじ込まれるビスの頭部縁をサイド駒の切欠段部に当接すると共に、ビスの頭部をストッパの切欠凹部で受け入れてストッパをサイド駒の内側面と面一にビスで保持するため、ビスが携帯者の手首に当らないよう組み立てられる。
【００４５】
本発明の請求項４に係る腕時計用バンドに依れば、超硬合金，硬質合金，セラミックス等の超硬質材料で形成したセンター駒並びにサイド駒から組み立てた連鎖部を備えることにより、傷付き等の生じ難い腕時計用バンドして構成でき、特に、ジルコニアセラミックス等のセラミック材料から形成するときには金属アレルギーの虞れのある携帯者向けとして好適なものに構成できる。
【図面の簡単な説明】
【図１】本発明に係る腕時計用バンドを備えた腕時計を示す側面図である。
【図２】同腕時計用バンドの一ブロックを組み立るのに要する各部品を展開させて示す仰角斜視図である。
【図３ａ】同腕時計用バンドの組立に要するセンター駒を示す側面図である。
【図３ｂ】図３ａのセンター駒を示す平面図である。
【図４】同腕時計用バンドの組立に要する連結ピンを示す平面図である。
【図５ａ】同腕時計用バンドの組立に要するサイド駒を示す平面図である。
【図５ｂ】図５ａのサイド駒をＡ−Ａ線で示す断面図である。
【図５ｃ】図５ａのサイド駒をＢ−Ｂ線で示す断面図である。
【図６ａ】同腕時計用バンドの組立に要するストッパを示す平面図である。
【図６ｂ】図６ａのストッパをＡ−Ａ線で示す断面図である。
【図６ｃ】図６ａのストッパをＢ−Ｂ線で示す断面図である。
【図７ａ】図６ａのストッパをサイド駒に組み付けて示す平面図である。
【図７ｂ】図７ａのサイド駒をＡ−Ａ線で示す断面図である。
【図７ｃ】図７ａのサイド駒をＢ−Ｂ線で示す断面図である。
【図８ａ】図７ａのサイド駒を連結ピンに組み付けて示す平面図である。
【図８ｂ】図８ａのサイド駒をＡ−Ａ線で示す断面図である。
【図８ｃ】図８ａのサイド駒をＢ−Ｂ線で示す断面図である。
【図９ａ】図８ａのサイド駒に対するセンター駒の組付け状態を示す平面図である。
【図９ｂ】図９ａのサイド駒をＡ−Ａ線で示す断面図である。
【図９ｃ】図９ａのサイド駒をＢ−Ｂ線で示す断面図である。
【図１０ａ】両側のサイド駒をセンター駒に組み付けて示す平面図である。
【図１０ｂ】図１０ａのサイド駒をＡ−Ａ線で示す断面図である。
【図１１ａ】図１０ａのサイド駒に対するビスのねじ込み状態をねじ込み途上で示す断面図である。
【図１１ｂ】図１１ａのねじによるねじ込み状態を直交方向から示す断面図である。
【図１２ａ】図１０ａのサイド駒に対するビスのねじ込み状態を示す平面図である。
【図１２ｂ】図１２ａのビスによるねじ込み状態をＡ−Ａ線で示す断面図である。
【図１２ｃ】図１２ａのビスによるねじ込み状態をＢ−Ｂ線で示す断面図である。
【図１３ａ】本発明に係る腕時計用バンドを複数ブロックの組付け状態で示す平面図である。
【図１３ｂ】図１３ａのブロック組付け状態を示す側面図である。
【図１４ａ】本発明に係る腕時計用バンドの主要な連鎖部を組立状態で示す内面図である。
【図１４ｂ】図１４ａの主要な連鎖部を示す側面図である。
【図１４ｃ】図１４ａの主要な連鎖部を示す外面図である。
【図１５】本発明に係る腕時計用バンドの片側を部分的に切り欠いて示す平面図である。
【図１６ａ】同腕時計用バンドの組立に要する時計装備側のサイド駒を示す平面図である。
【図１６ｂ】図１６ａのサイド駒を示す側面図である。
【図１７ａ】同腕時計用バンドの組立に要するバックル装備側の端部駒を示す平面図である。
【図１７ｂ】図１７ａの端部駒を示す側面図である。
【図１８ａ】同腕時計用バンドの組立に要するバックル取付け駒を示す正面図である。
【図１８ｂ】図１８ａのバックル取付け駒を示す側面図である。
【符号の説明】
１ａ，１ｂ                        センター駒
１０ａ，１０ｂ、１１ａ，１１ｂ    センター駒の通し穴
２ａ，２ｂ                        連結ピン
２０ａ，２０ｂ、２１ａ，２１ｂ    連結ピンの凹溝
３ａ，３ｂ                        サイド駒
３０ａ，３０ｂ、３１ａ，３１ｂ    サイド駒の止め穴
３０ｃ，３１ｃ                    サイド駒の座ぐり穴
３０ｄ，３０ｅ、３１ｄ，３１ｅ    サイド駒の切欠段部
４ａ，４ｂ                        ストッパ
４０ａ，４１ａ                    ストッパの基部片
４０ｂ，４１ｂ                    ストッパの立上り片
４０ｃ，４０ｄ、４１ｃ，４１ｄ    ストッパの張出し縁
４０ｅ，４１ｅ                    ストッパのねじ穴
４０ｈ，４１ｈ                    ストッパの切欠凹部
５ａ，５ｂ                        ビス
５０ｂ，５１ｂ                    ビスの頭部
【図１】
0004748428.tif 000002
【図２】
0004748428.tif 000003
【図３ａ】
0004748428.tif 000004
【図３ｂ】
0004748428.tif 000005
【図４】
0004748428.tif 000006
【図５ａ】
0004748428.tif 000007
【図５ｂ】
0004748428.tif 000008
【図５ｃ】
0004748428.tif 000009
【図６ａ】
0004748428.tif 000010
【図６ｂ】
0004748428.tif 000011
【図６ｃ】
0004748428.tif 000012
【図７ａ】
0004748428.tif 000013
【図７ｂ】
0004748428.tif 000014
【図７ｃ】
0004748428.tif 000015
【図８ａ】
0004748428.tif 000016
【図８ｂ】
0004748428.tif 000017
【図８ｃ】
0004748428.tif 000018
【図９ａ】
0004748428.tif 000019
【図９ｂ】
0004748428.tif 000020
【図９ｃ】
0004748428.tif 000021
【図１０ａ】
0004748428.tif 000022
【図１０ｂ】
0004748428.tif 000023
【図１１ａ】
0004748428.tif 000024
【図１１ｂ】
0004748428.tif 000025
【図１２ａ】
0004748428.tif 000026
【図１２ｂ】
0004748428.tif 000027
【図１２ｃ】
0004748428.tif 000028
【図１３ａ】
0004748428.tif 000029
【図１３ｂ】
0004748428.tif 000030
【図１４ａ】
0004748428.tif 000031
【図１４ｂ】
0004748428.tif 000032
【図１４ｃ】
0004748428.tif 000033
【図１５】
0004748428.tif 000034
【図１６ａ】
0004748428.tif 000035
【図１６ｂ】
0004748428.tif 000036
【図１７ａ】
0004748428.tif 000037
【図１７ｂ】
0004748428.tif 000038
【図１８ａ】
0004748428.tif 000039
【図１８ｂ】
0004748428.tif 000040